(57)【要約】【課題】  ディーゼルエンジンの排ガス浄化装置に使われる微粒子捕捉フィルタへの微粒子の堆積量を、正確に検出する微粒子検出センサを提供する。【解決手段】  微粒子検出センサは、微粒子捕捉フィルタのスートストレージ容量よりも小さなスートストレージ容量を有する微粒子検出フィルタと、前記微粒子検出フィルタの入口と出口の間の差圧を測定する差圧測定部とを備える。【選択図】      図４
2008101606.tif 000002
【特許請求の範囲】
【請求項１】
微粒子捕捉フィルタのスートストレージ容量よりも小さなスートストレージ容量を有する微粒子検出フィルタと、
前記微粒子検出フィルタの入口と出口の間に生じる差圧を測定する差圧測定部と、を備えた微粒子検出センサ。
【請求項２】
さらに流量計あるいは同等なメータを備えた請求項１記載の微粒子検出センサ。
【請求項３】
さらに温度測定部を備えた請求項１または２記載の微粒子検出センサ。
【請求項４】
さらにヒータを備えた請求項１〜３のうち、いずれか一項記載の微粒子検出センサ。
【請求項５】
さらにホルダを備え、前記微粒子検出フィルタ、前記差圧測定部、前記温度測定部、および前記流量計または同等のメータの少なくとも一つが前記ホルダに収納されている、請求項１〜４のうち、いずれか一項記載の微粒子検出センサ。
【請求項６】
前記微粒子検出フィルタは、ＳｉＣ、窒化アルミニウム、炭化珪素、窒化硼素、窒化タングステン、炭化ジルコニウム、炭化チタン、炭化タンタル、炭化タングステン、アルミナ、酸化ジルコニウム、コージエライト、ムライト、シリカ、およびチタン酸アルミニウムのいずれかから構成されている請求項１〜５のうち、いずれか一項記載の微粒子検出センサ。
【発明の詳細な説明】
【技術分野】
【０００１】
本発明は微粒子検出センサに係り、特に排ガス浄化装置で使われる微粒子検出センサに関する。
【背景技術】
【０００２】
従来、ディーゼルエンジンより排出されるＣ（炭素）を主とする微粒子（ＰＭ：particulate  matter）を捕捉するのに、多孔質セラミックより構成される微粒子捕捉フィルタ（ＤＰＦ：diesel  particulate  filter）が使われている。このような微粒子捕捉フィルタでは、継続的な使用に伴って捕捉した微粒子が徐々に堆積し、このため、微粒子捕捉フィルタを使った排ガス浄化装置においては、堆積した微粒子を微粒子捕捉フィルタ中において定期的に燃焼させて除去し、微粒子捕捉フィルタを再生することが行われている。微粒子捕捉フィルタ中における微粒子の堆積を放置すると、微粒子捕捉フィルタ中で排ガスにより生じる圧力が過大になり、燃費の悪化やエンジンの損傷を招くことがある。
【０００３】
このような微粒子捕捉フィルタの再生は、フィルタを交換したり取り外ししたりすることなく、ディーゼルエンジンの運転中に行うのが望ましく、このため、爆発燃焼後、シリンダ中をピストンが下降している状態でさらに燃料噴射を行う（ポストインジェクション）ことが行われている。これにより、堆積している微粒子が、発生した高温のガスにより燃焼される。
【特許文献１】米国特許第６９５２９２０号
【特許文献２】米国特許第５６５１２４８号
【発明の開示】
【発明が解決しようとする課題】
【０００４】
図１は、本発明の関連技術による、従来の微粒子捕捉フィルタを備えたディーゼルエンジンの排ガス浄化システムの全体構成を示す。
【０００５】
図１を参照するに、ディーゼルエンジン１１の排気ライン１２には微粒子捕捉フィルタ１２Ｂが設けられ、前記ディーゼルエンジン１１から排出される排ガス中の微粒子を捕捉している。
【０００６】
図２Ａは、前記微粒子捕捉フィルタ１２Ｂの概略を、図２Ｂは、前記微粒子捕捉フィルタの構成部品を示す。
【０００７】
前記微粒子捕捉フィルタ１２Ｂは、典型的にはＳｉＣなどの多孔質セラミックよりなるフィルタユニット１２Ａより構成され、前記フィルタユニット１２Ａ中には、一端から他端へと延在する、例えば１ｍｍ×１ｍｍの断面を有する多数のガス通路１２ａが形成されている。
【０００８】
その際、前記微粒子捕捉フィルタ１２Ｂは、複数のフィルタユニット（フィルタ構成部品）１２Ａをシール剤（接着層）で結束し、外周部を切削加工して全体として円柱形状に形成されている。さらに、フィルタ１２Ｂの外周面が、シール剤（コーティング層）により覆われている。前記微粒子捕捉フィルタ１２Ｂは、一つのユニットで形成されている場合もある。
【０００９】
図２Ｃは、微粒子捕捉フィルタ１２Ｂの原理を示す。
【００１０】
図２Ｃに概略的に示すように、前記複数のガス通路１２ａは、エンジンから流入する排ガス流に対して上流側または下流側の端部が交互に閉じられており、一のガス通路１２ａ中に導入された排ガスは、前記多孔質部材１２ｂ中を、隣接するガス通路へと透過する。そこで、このように排ガスが多孔質部材１２ｂ中を透過する際に、前記排ガス中に含まれる微粒子が前記多孔質部材１２ｂにより捕捉され、図２Ｄに示すように前記微粒子１２ｃの堆積が、前記多孔質部材１２ｂ上に層状に生じる。
【００１１】
微粒子捕捉フィルタ１２Ｂは内部に排ガス中の微粒子を堆積するため、先にも述べたように、適当な時点で再生プロセス（堆積した微粒子の燃焼）を行い、フィルタを再生する必要がある。
【００１２】
図１で説明した従来の排ガス浄化システムでは、かかるフィルタの再生は、車両が所定の走行距離、例えば５００ｋｍを走行するごとに、例えば１０分間程度行われている。
【００１３】
しかし、このようにポストインジェクションによるフィルタ再生を一律に行った場合には、再生はフィルタ中における微粒子の実際の捕捉量に無関係に実行されることになる。このような場合、フィルタ中への微粒子の過剰な堆積が生じないように、フィルタ再生の間隔を、安全のため、実際に必要な場合よりも短めに設定しておかなければならない。しかし、このようにポストインジェクションによるフィルタ再生を過度に行うと、燃料消費が増大し、車両の燃費が悪化してしまう。
【００１４】
特許文献２には、微粒子捕捉フィルタの他に微粒子検出用フィルタを設け、微粒子捕捉フィルタに捕捉された微粒子の量を、電気抵抗測定により求める構成が記載されている。この技術では、微粒子捕捉フィルタに捕捉された微粒子と検出フィルタにより捕捉された微粒子は、検出された抵抗値が所定値以下になった場合、ヒータを使って燃焼される。これにより、フィルタの再生がなされる。
【００１５】
しかし、この従来の構成では、微粒子捕捉フィルタにヒータを設ける必要があり、構成が複雑になるという問題があり、さらに微粒子捕捉フィルタの再生に電力が消費されるという問題がある。また前記特許文献２の技術では、フィルタ再生時の電力消費を節減するため、微粒子捕捉フィルタへの微粒子の堆積が限界にきており直ちに再生を行うのが不可欠である特定の場合を除いて、再生動作を微粒子検出用フィルタの温度が所定値より高い状態を選んで実行されている。その結果、微粒子捕捉フィルタの再生動作のタイミングが制約され、また再生動作の自由度が制約されることになる。
【００１６】
また前記特許文献２の技術では、ヒータによる微粒子捕捉フィルタの再生作業中は、その微粒子捕捉フィルタを使うことができず、このため予備の微粒子捕捉フィルタを設けておき、前記再生作業中にはこの予備の微粒子捕捉フィルタに切り替えている。しかし、このような構成では、同等の微粒子捕捉フィルタを２つ設ける必要があり、さらに切り替えバルブが必要であり、排ガス浄化装置の構成が大がかりになるという問題がある。かかる排ガス浄化装置を小型の車両に搭載するのは困難である。
【００１７】
また前記特許文献２の技術では、前記微粒子検出用フィルタを、微粒子捕捉フィルタと同時に、あるいは微粒子捕捉フィルタの再生に引き続いて再生しているが、微粒子検出用フィルタの再生タイミングが任意に選べないため、微粒子検出用フィルタの状態如何によっては、微粒子捕捉フィルタの再生タイミングに誤差が生じやすい問題がある。
【００１８】
仮に微粒子捕捉フィルタの再生と微粒子検出用フィルタの生成を独立に行うと、微粒子検出用フィルタの再生を行った時点で、微粒子検出用フィルタの通気抵抗が減少し、排ガスは専ら微粒子検出用フィルタを流れるようになる。その結果、微粒子捕捉フィルタの再生タイミング検出に誤差が生じる。このような理由から、前記特許文献２の技術では、微粒子検出用フィルタの再生と微粒子捕捉フィルタの再生を、先に述べたように、同期させて行っているのである。
【００１９】
さらに特許文献２の技術は、（ａ）アッシュ堆積，（ｂ）劣化による大きな見積もり誤差、の問題点を有している。
【００２０】
さらに、前記特許文献２の技術では、捕捉した微粒子の堆積量を見積もるのに電極の電気抵抗を測定するという、その原理そのものに起因する問題点がある。
【００２１】
しかし、微粒子検出用フィルタに捕捉された微粒子の堆積量と電気抵抗との間には、図３に示すように非線形な関係が存在し、従って微粒子の堆積量を正確に求めるためには、図３中「Ａ」で示した線形領域を使う必要がある。
【００２２】
かかる線形領域を使うには、微粒子検出用フィルタにおける堆積量を少なく維持する必要があるが、これはまた、微粒子検出用フィルタの頻繁な再生が必要であることを意味する。しかし前記特許文献２の技術では、微粒子検出用フィルタの再生タイミングに制限が課せられており、微粒子堆積量の評価精度が劣化してしまう問題を回避することができない。このような状況下で微粒子検出用フィルタの再生を強行すると、電力消費が増大するのみならず、微粒子検出用フィルタの状態と微粒子捕捉フィルタの状態とが乖離してしまい、微粒子捕捉フィルタの再生タイミングが狂ってしまう。
【００２３】
さらに、微粒子捕捉フィルタや微粒子検出用フィルタに、微粒子の燃焼後にアッシュの堆積が生じた場合には、もはや正確な電気抵抗の測定はできず、堆積量の見積もりに大きな誤差が生じてしまう。
【００２４】
さらに、微粒子検出用フィルタの使用に伴い、時間経過や排ガス環境中での使用による、フィルタや電極に劣化が生じる。特に電極（導電性金属からなる端子）は、Ｃｕ，Ｃｒ，Ｎｉ等の金属が含浸されたものであるので、酸化、不純物付着、ひび割れ、腐食等の、物理的劣化や酸化劣化、熱劣化が生じやすい。
【００２５】
フィルタや電極が劣化した場合には、もはや電気抵抗を正確に測定することができず、堆積量の算出結果に誤差が生じてしまう。
【課題を解決するための手段】
【００２６】
本発明は、微粒子捕捉フィルタのスートストレージ容量よりも小さなスートストレージ容量を有する微粒子検出フィルタと、前記微粒子検出フィルタの入口と出口の間に生じる差圧を測定する差圧測定部と、を備えた微粒子検出センサを提供する。
【発明の効果】
【００２７】
本発明によれば、ディーセルエンジンの主排気ラインに設置された微粒子捕捉フィルタよりも上流側において前記排気ラインから分岐された副排気ラインに設置された微粒子検出フィルタを用いて、特には、微粒子捕捉フィルタへの微粒子の堆積を、スートストレージ容量が小さく従って微粒子堆積の不均一が生じにくい微粒子（ＰＭ）検出フィルタを使い、かかる微粒子検出フィルタに生じる差圧を測定することにより、主微粒子捕捉フィルタにおける微粒子の堆積量を簡単かつ正確に測定することが可能となる。かかる微粒子検出センサを排ガス浄化装置に使うことにより、過剰なポストインジェクションによる燃費の悪化を抑制することが可能となる。さらに本発明によれば、微粒子検出フィルタの再生を主微粒子捕捉フィルタと独立に実行することが可能となり、主微粒子捕捉フィルタ中における微粒子の堆積量を、微粒子検出フィルタを使って常に、正確に測定することが可能となる。さらに、アッシュ堆積やフィルタや電極の劣化の効果を排除して、正確な測定を行うことが可能となる。
【００２８】
さらに本発明によれば、主排気ライン２１中の排ガスが微粒子（ＰＭ）検出フィルタの再生に伴い、前記副排気ラインの通気抵抗が、前記微粒子（ＰＭ）検出用フィルタの再生により減少することで、前記副排気ラインに集中する問題を、前記副排気ラインにバルブを設け、その流量を一定に制御することで回避することが可能である。すなわち、主微粒子捕捉フィルタにおける微粒子の捕捉は、微粒子（ＰＭ）検出フィルタと同様になされ、その結果、前記微粒子（ＰＭ）検出フィルタの差圧測定により求めた主微粒子捕捉フィルタへの微粒子堆積量の推定値が、実際に主微粒子捕捉フィルタにおける微粒子量からずれる問題が回避される。
【発明を実施するための最良の形態】
【００２９】
本発明の実施形態は、微粒子捕捉フィルタのスートストレージ容量よりも小さなスートストレージ容量を有する微粒子検出フィルタと、前記微粒子検出フィルタの入口と出口の間に生じる差圧を測定する差圧測定部と、を備えた微粒子検出センサを提供する。
【００３０】
上記微粒子検出センサにおいて、前記微粒子検出センサは、さらに流量計あるいは同等のメータ（例えばガス流速計）を備えていることが好ましい。
【００３１】
また、前記微粒子検出センサは温度測定部を備えていることが好ましい。
【００３２】
また、前記微粒子検出センサは、ヒータを備えていることが好ましい。
【００３３】
また、前記微粒子検出センサは、さらにホルダを備えており、前記微粒子検出フィルタ、前記差圧計、前記温度測定部および前記流量計あるいは同等のメータ（例えばガス流速計）のうち、少なくとも一つは、前記ホルダに収納されていることが好ましい。
【００３４】
また、前記微粒子検出フィルタは、ＳｉＣ，窒化アルミニウム、炭化珪素、窒化硼素、窒化タングステン、炭化ジルコニウム、炭化チタン、炭化タンタル、炭化タングステン、アルミナ、酸化ジルコニウム、コージエライト、ムライト、シリカ、およびチタン酸アルミニウムの、いずれかから構成されていることが好ましい。
【００３５】
以下、本発明を、図面を参照しながら好ましい実施形態について詳細に説明する。
［第１の実施形態］
図４は、本発明の第１の実施形態による排ガス浄化装置２０の構成を示す。
【００３６】
図４を参照するに、図示しないディーゼルエンジンからの排ガスは、先に図２Ａで説明したのと同様な主微粒子捕捉フィルタ（ＤＰＦ）２２に、排ガスライン２１を介して導入され、前記主微粒子捕捉フィルタ（ＤＰＦ）２２は、前記排ガス中の微粒子を、先に図２Ｃおよび２Ｄで説明したように捕捉する。
【００３７】
さらに図４の構成では、前記主微粒子捕捉フィルタ（ＤＰＦ）２２から上流側において、副排気ライン２１Ａが前記排気ライン２１から分岐し、前記副排気ライン２１Ａには副微粒子捕捉フィルタ２２Ａが、前記主微粒子捕捉フィルタ（ＤＰＦ）２２のスートストレージ容量よりも小さなスートストレージ容量で設けられている。さらに前記副微粒子捕捉フィルタ２２Ａの入口と出口の間の差圧ΔＰを測定する差圧測定部２２Ｂが設けられている。さらに図４の構成では、前記副排気ライン２１Ａに前記副微粒子捕捉フィルタ２２Ａの下流側において流量計２４と制御バルブ２３とが設けられ、前記制御バルブ２３は前記副排気ライン２１Ａにおける排ガス流量を、前記流量計２４による測定に基づいて、一定に維持するのに使われる。この制御バルブ２３と流量計２４とは、前記副排気ライン２１Ａのどこに設けてもよい。ここで前記副微粒子捕捉フィルタ２２Ａと、前記差圧測定部２２Ｂと、流量計２４とは、排ガス中に含まれる微粒子の量を測定する微粒子（ＰＭ）センサを構成する。前記微粒子（ＰＭ）検出フィルタは、流量計２４を含んでも、含まなくてもよい。微粒子（ＰＭ）検出センサは、温度測定部（Ｔ１）を含むように規定することもできる。さらに、前記主微粒子捕捉フィルタ（ＤＰＦ）２２に温度測定部Ｔ２を設けることも可能である。
【００３８】
この排気ライン中の温度測定部は、次のいずれに設けてもよい。（１）主微粒子捕捉フィルタの内部、（２）副微粒子捕捉フィルタの内部、（３）これに接続されたパイプ内、（４）主微粒子捕捉フィルタの表面、あるいは（５）副微粒子捕捉フィルタの表面。排ガス温度の正確な測定が可能となるという観点からは、構成（１）あるいは（２）が好ましく、特に構成（２）がより好ましい。
【００３９】
図４の例では、前記主微粒子捕捉フィルタ（ＤＰＦ）２２は、３５〜６５％の気孔率を有するＳｉＣなどの多孔質セラミックよりなり、ハニカム構造を形成するが、前記ガス流方向に垂直な断面において、一辺が１．１ｍｍの矩形のガス通路が、図２Ｂのガス通路１２ａに対応して形成されていることがわかる。ここではガス通路は互いに約０．３ｍｍの距離離れて形成されており、全体として格子状のパターンを形成している。
【００４０】
本発明では、前記微粒子（ＰＭ）検出フィルタを、副微粒子捕捉フィルタとも称する。
【００４１】
図４に示すように、本実施形態による微粒子検出センサは、副排気ライン２１Ａと、副微粒子捕捉フィルタ２２Ａと、前記副微粒子捕捉フィルタ２２Ａの入口と出口の間の差圧ΔＰを測定する差圧測定部２２Ｂとより構成される。ここで、「微粒子センサ」は、微粒子検出機能を実行する部分（微粒子検出機能を果たす構成要素）と、規定される。
【００４２】
すなわち本実施形態による微粒子検出センサでは、前記微粒子検出センサを構成する要素が、配管により接続された形態で構成されていてもよく、また例えばホルダ２２ｅあるいは金属筐体に収納された一体型ユニットとして構成されていてもよい。
【００４３】
さらに図４に示すように、微粒子検出センサは、配管により接続された制御バルブ２３あるいは流量計２４を含んでもよい。あるいは、制御バルブ２３と流量計２４は、微粒子検出センサに一体化されていてもよい。さらに、微粒子検出センサは温度測定部Ｔ１を含んでいてもよい。
【００４４】
前記温度測定部Ｔ１の代わりに温度測定部Ｔ２を使って排ガス温度を測定する場合には、微粒子センサは温度測定部Ｔ２を含むこととする。
【００４５】
図５Ａは、前記副微粒子捕捉フィルタ２２Ａを含む全体構成を示し、一方図５Ｂは前記副微粒子捕捉フィルタ２２Ａの原理を示す。
【００４６】
前記副微粒子捕捉フィルタ２２Ａは、前記主微粒子捕捉フィルタ（ＤＰＦ）２２と同様な多孔質セラミックにより構成することができる。前記副微粒子捕捉フィルタを多孔質セラミックにより構成する場合には、前記副微粒子捕捉フィルタがＳｉＣなどの多孔質セラミックよりなり、矩形形状のセル２２ｂを含むのが好ましい。ここで、前記主微粒子捕捉フィルタ２２（ＤＰＦ）中における排ガス通路（図３の通路１２ａに対応）の総容積の５％以下、例えば０．０５〜５％、あるいは６５ｍｌ以下、例えば０．０５〜６５ｍｌの容積、あるいは０．１〜１０００ｃｍ2（好ましくは１〜１０ｃｍ2）の濾過面積を有する単一のガス通路２２ａが形成される。前記ガス通路２２ａは、例えば矩形断面形状を有し、その一端が閉じられている（１セルの場合には後端が閉じられる）。ここで、前記ガス通路２２ａの外形形状あるいは前記副微粒子捕捉フィルタ２２Ａ（セル２２ｂ）の外形形状は、前記主微粒子捕捉フィルタ（ＤＰＦ）２２のガス通路の断面形状と同一である必要はなく、円形、正方形、八角形、楕円形など、任意形状であってよい。さらに、前記微粒子捕捉フィルタ２２Ａ（セル２２ｂ）を構成する多孔質セラミックは、前記主微粒子捕捉フィルタ（ＤＰＦ）２２を構成する多孔質セラミックと同一である必要はない。また前記副微粒子捕捉フィル２２Ａ（セル２２ｂ）は、セラミック以外に材料で形成されていてもよい。
【００４７】
前記ガス通路２２ａを、前記主微粒子捕捉フィルタ（ＤＰＦ）２２中の排ガス通路（図３の通路１２ａに対応）の５％以下の容積に形成することにより、あるいは６５ｍｌ以下の容積に形成することにより、あるいは０．１〜１０００ｃｍ2（好ましくは１〜１０ｃｍ2）の濾過面積に形成することにより、前記主微粒子捕捉フィルタ（ＤＰＦ）２２中の微粒子の堆積量の測定を簡単な手順で行うことが可能となる。
【００４８】
前記副微粒子捕捉フィルタ２２Ａ（セル２２ｂ）は、排ガス温度Ｔを測定する温度測定部を設けられ、前記温度測定部には、熱電対２２ｄが設けられている。さらに、前記副微粒子捕捉フィルタ（セル２２ｂ）の周りには前記内壁に堆積した微粒子層（煤層）２２ｃを燃焼させ前記副微粒子捕捉フィルタ２２Ａを再生するために、ヒータ２２ｈが巻回されている。さらに、セル２２ｂと熱電対２２ｄとヒータ２２ｈとは、ＳｉＯ2−Ａｌ2Ｏ3などよりなる円筒形のホルダ２２ｅ中に、Ａｌ2Ｏ3などの絶縁物（インシュレータ）２２ｉを介して格納されており、さらに前記ホルダ２２ｅには、前記差圧ΔＰを測定するダイアフラム圧力計２２Ｂが、前記副排気ライン２１Ａ中のガスが前記圧力計２２Ｂに供給されるように設けられている。前記ホルダ（容器）２２ｅは金属ハウジングに格納されており、微粒子（ＰＭ）センサとして前記副排気ラインに設置される。前記ホルダ２２ｅは、また前記副排気ラインの配管内に設置してもよいし、前記副排気ライン中に、金属ハウジングに格納した状態で設置してもよい。
【００４９】
そこで、前記副排気ライン２１Ａ中の排ガスが前記副微粒子捕捉フィルタ（セル２２ｂ）の排ガス通路２２ａに導入されると、前記排ガスは前記副微粒子捕捉フィルタ（セル２２ｂ）の壁面を通過してセル外側へと流れ、前記排ガス中の微粒子が図２Ｃの場合と同様に捕捉される。その際、微粒子は前記セル２２ｂの内壁面に堆積し、微粒子層２２ｃを形成する。
【００５０】
本発明では、このようにして捕捉され前記微粒子捕捉フィルタ２２の内壁面に堆積した微粒子２２ｃの堆積量が、このようにして得られた前記差圧ΔＰと排ガス温度Ｔと排ガス流量Ｑとから、式（１）を使って、以下のように算出される。
【００５１】
図６は、前記図４の副微粒子捕捉フィルタ２２Ａのより詳細な構成を示す。
【００５２】
図６を参照するに、前記副排気ライン２１Ａ中の排ガスは、前記副微粒子捕捉フィルタ（セル２２ｂ）中のガス通路２２ａに、矢印で示すように供給され、前記セルを通過後、側方にあるいは後方に排出される。その際、前記副微粒子捕捉フィルタ（セル２２ｂ）上のヒータ２２ｈは駆動ライン２２ｂ１を介して供給される電力により駆動され、前記セル２２ｂにより捕捉された微粒子２２ｃの燃焼が生じる。さらに、前記ダイアフラム圧力計２２Ｂの出力信号が、信号ライン２２ｐを介して制御回路へと供給される。
【００５３】
前記図５Ａおよび５Ｂの副微粒子捕捉フィルタ２２Ａでは、前記副微粒子捕捉フィルタに捕捉された微粒子のスートロード量が、以下の式により算出される。
ΔＰ＝function（流量，温度，スートロード，形状）
以下に好ましい実例を示すが（他の表現を用いることも可能である）、この実例では、前記副微粒子捕捉フィルタに捕捉された微粒子層２２ｃの厚さＷ［ｍ］が、以下の式により計算される。
【００５４】
【数１】
2008101606.tif 000003
ここでΔＰは差圧［Ｐａ］を表し、μは動粘性係数を表し、Ｑは［ｍ3／ｈ］で表した排ガス流量を表し、αはセルの一辺の長さを表し、ρは排ガスの比重を表し、Ｖtrapはフィルタ体積を表し、Ｗｓは壁厚を表し、Ｋｗは壁のガス透過率を表し、Ｋsootは、捕捉された微粒子層のガス透過率を表し、Wは捕捉された微粒子層の厚さを表し、Ｆは係数（＝２８．４５４）を表し、Lは有効フィルタ長さを表し、βは多孔質壁のフォルヒハイマー係数を表し、ζは排ガスの流入および流出の内部損失係数を表す。
【００５５】
次に、前記副微粒子捕捉フィルタ（セル２２ｂ）により捕捉された微粒子の質量ｍsootが、以下の式により求められる。
【００５６】
【数２】
2008101606.tif 000004
ここでｍsootは、捕捉された微粒子の質量［ｇ］を表し、Ｎcellsは、入口側のセルの開口数を表し、ρsootは、捕捉された微粒子の密度を表す。
【００５７】
そこで、ｍsootを、前記副微粒子捕捉フィルタの前回の再生時点から計った時間（経過時間）［ｈ］で除することにより、単位時間当たりの捕捉量ＰＭ［ｇ／ｈ］が求められる。
【００５８】
このように単位時間に堆積した微粒子の質量ＰＭ［ｇ／ｈ］が求められると、排ガス中の微粒子濃度ＰＭconc［ｇ／ｃｍ3］が、前記副微粒子捕捉フィルタ２２Ａを通過する排ガスの流量Ｑ２［ｍ3／ｈ］を使って求められる。
【００５９】
Ｍ［ｇ／ｈ］＝ＰＭconc［ｇ／ｍ3］×Ｑ２［ｍ3／ｈ］      （３）
前記排ガス中の微粒子の濃度ＰＭconcは、前記副排気ライン２１Ａにおいても主排気ライン２１においても同じ値をとるので、前記微粒子捕捉フィルタ２２に流入した微粒子の量ＰＭenter  full  filter［ｇ／ｈ］は、前記単位時間当たりの微粒子の質量ＰＭ［ｇ／ｈ］を使って、以下のように求められる。
【００６０】
ＰＭenter  full  filter［ｇ／ｈ］＝ＰＭconc［ｇ／ｍ3］×Ｑ１［ｍ3／ｈ］  （４）
さらに、これから、前記フィルタ中に堆積した微粒子の量が、フィルタの捕捉効率を勘案して求められる。以上の説明において、Ｑ１は、前記主微粒子捕捉フィルタ（ＤＰＦ）２２を通過する排ガスの流量を示す。Ｑ１は、実際の測定により、あるいはエンジンの運転状況から推定される。
【００６１】
図７は、図４の排ガス浄化装置において前記主微粒子捕捉フィルタ（ＤＰＦ）２２の前後において生じる差圧と、前記主微粒子捕捉フィルタ（ＤＰＦ）２２における微粒子の堆積量との関係を示す。ここで実線は、前記副微粒子捕捉フィルタ２２Ａおよび式（１）〜（４）を使って求められた、前記主微粒子捕捉フィルタ２２における微粒子堆積量を示す。一方、破線は、前記主微粒子捕捉フィルタ（ＤＰＦ）２２の前後における差圧から直接に求めた場合の、前記主微粒子捕捉フィルタ（ＤＰＦ）２２における微粒子の堆積量を示す。
【００６２】
図７を参照するに、前記中微粒子捕捉フィルタ（ＤＰＦ）２２の前後の差圧には、同じ微粒子堆積量で比較して、±５０％に達する誤差が生じていることがわかる。
【００６３】
これに対し、前記副微粒子捕捉フィルタの前後における差圧ΔＰを求め、式（１）〜（４）を使うことにより、前記主微粒子捕捉フィルタ（ＤＰＦ）２２に捕捉された微粒子の堆積量を、±１０％の誤差で求めることが可能である。
【００６４】
そこで、本発明によれば、図６の排ガス浄化装置において、前記主微粒子捕捉フィルタ（ＤＰＦ）２２中における微粒子の堆積量を、より容積の小さい前記副微粒子捕捉フィルタ２２Ａにおいて生じる差圧ΔＰを測定することで、正確に見積もることが可能となり、その結果に基づいてポストインジェクションを行うことにより、前記主微粒子捕捉フィルタ（ＤＰＦ）２２の再生を、最適なタイミングで実行することが可能となる。これにより、不要なポストインジェクションが回避され、車両の燃費が向上する。
【００６５】
図４の構成において、流量計２４は公知のベンチュリ流量計、ホットワイヤ流量計などを使うことが可能であり、その際、前記流量計２４は前記副排気ライン２１Ａ中における排ガス流量を、制御バルブ２３を用いて例えば５０〜６０００ｍｌ／分の範囲において、略一定に制御することが可能である。これにより、排ガスが前記副排気ライン２１Ａに偏って流れるのが回避され、前記主微粒子捕捉フィルタ（ＤＰＦ）２２中の微粒子堆積量を、前記副微粒子捕捉フィルタ２２Ａにより得られた堆積量から、より高精度に求めることが可能となる。
【００６６】
ここで、「前記副微粒子捕捉フィルタの入口と出口の間の差圧を測定する差圧測定部」とは、前記副微粒子捕捉フィルタの入口と出口の差圧を測定する差圧測定部を含むのみならず、微粒子捕捉フィルタ２２Ａの出口側にのみ、圧力計を使う構成をも含むものである。かかる構成では、初期状態（再生直後の状態）の圧力値が記憶されており、前記差圧は、前記副微粒子捕捉フィルタ２２Ａに微粒子の堆積が生じた状態の圧力を測定し、このようにして得られた圧力値を前記記憶された初期圧力値から差し引くことにより求められる。
【００６７】
さらに前記差圧を測定するに当たり、前記流量計あるいは流速計を、前記副微粒子捕捉フィルタの入口側および出口側に、あるいは出口側のみに設けることも可能である。かかる構成によれば、前記差圧は、前記副微粒子捕捉フィルタの入口側および出口側に設けられた流量計や流速計の読み取り値から求められる。あるいは、前記差圧は、前記副微粒子捕捉フィルタの出口側の前記流量計、流速計などの読み取り値から、初期状態（再生直後の状態）の読み取り値と前記副微粒子捕捉フィルタに微粒子の堆積が生じた状態の読み取り値を比較することにより、求めることができる。
【００６８】
本発明は、前記副微粒子捕捉フィルタ２２Ａについて求めた差圧から、前記主微粒子捕捉フィルタ（ＤＰＦ）２２に捕捉された微粒子の量を、式（１）〜（４）を使うことにより求めることを特徴としており、前記副微粒子捕捉フィルタの差圧を求めるには、従来差圧を測定するのに使われているものを含め、如何なる計測器を使ってもよい。
［第２の実施形態］
図８は、図４の排ガス浄化装置を使った本発明の第２の実施形態による排ガス浄化方法を示すフローチャートである。
【００６９】
図８を参照するに、ステップ１において流量計２４により排ガス流量Ｑが検出され、さらに前記差圧測定部２２Ｂにより、前記副微粒子捕捉フィルタ２２Ａ前後の差圧ΔＰが検出される。さらに、前記温度測定部Ｔ１を使って、前記排ガスの温度Ｔが測定される。
【００７０】
次にステップ２において、前記副微粒子捕捉フィルタ２２Ａに捕捉された微粒子の層厚Ｗが、前記ステップ１で求められた差圧ΔＰから、前記式（１）に従って求められる。ここで、前記排ガスの温度Ｔは、本実施形態のように前記副微粒子捕捉フィルタ２２Ａの温度測定部Ｔ１を使う代わりに、前記主微粒子捕捉フィルタ（ＤＰＦ）２２の温度測定部Ｔ２を使って求めてもよい。さらに、前記温度Ｔは、前記温度測定部Ｔ１，Ｔ２の温度から算出（例えば平均値、最大値、最小値など）することもできる。前記微粒子の量を正確に算出することが可能となるという観点からは、前記副微粒子フィルタ２２Ａの温度測定部Ｔ１を使うことが好ましい。前記温度測定部としては熱電対を使うことができるが、温度を測定できるものならどのようなものでも使うことができる。さらに排気管内の排ガス温度を測定するのが好ましいが、フィルタあるいはセルの内部または表面温度を測定してもよい。
【００７１】
さらにステップ２では、セル２１ｂにより捕捉された微粒子の質量ｍsootが、ステップ１で検出された層厚Wから、前記式（２）により求められる。
【００７２】
さらにステップ３において、前記副微粒子捕捉フィルタ２２Ａのセル２２ｂに堆積した微粒子層の質量ｍsootが所定の閾値Ｔｈ0を超えたか否かが判定され、結果がＮＯ（Th0を越えていない場合）であれば、プロセスはステップ１に戻される。
【００７３】
一方、前記ステップ３において前記副微粒子捕捉フィルタ２２Aのセル２２ｂに堆積した微粒子層の質量ｍsootが前記所定閾値Ｔｈ0を超えた場合には、ステップ４において前記ヒータ２２ｈが駆動され、微粒子２２ｃが燃焼により除去される。
【００７４】
一方、図８のプロセスでは、ステップ１１において、前記ステップ２で求められた前記セル２２ｂ中に捕捉された微粒子の質量ｍsootを使って、前記排ガス中に微粒子の濃度PMが求められ、前記主微粒子捕捉フィルタ２２に堆積した微粒子の量ＰＭenter  full  filterが、前記式（４）および前記主微粒子捕捉フィルタ（ＤＰＦ）２２の捕捉効率から、求められる。
【００７５】
そこでステップ１２では、前記主微粒子捕捉フィルタ（ＤＰＦ）２２中における微粒子堆積量ＰＭenter  full  filterが所定の閾値Ｔｈ１を超えたか否かが判定され、判定結果がＮＯ（Th1を越えていない場合）であれば、プロセスはステップＳ１１に戻される。
【００７６】
一方、前記ステップ１２において、前記主微粒子捕捉フィルタ（ＤＰＦ）２２中における微粒子の堆積量ＰＭenter  full  filterが前記閾値Ｔｈ１を超えていると判定された場合には、ステップ１３においてエンジン制御ユニット（ＥＣＵ）をコントロールしてポストインジェクションが行われ、前記主微粒子捕捉フィルタ（ＤＰＦ）２２中に堆積した微粒子が、燃焼により除去される。これにより、フィルタの再生がなされる。
【００７７】
図８のプロセスでは、前記副微粒子捕捉フィルタ２２Ａの再生と主微粒子捕捉フィルタ（ＤＰＦ）２２の再生とを独立に実行することができ、前記副微粒子捕捉フィルタ２２Ａを構成するセル２２ｂ中に堆積した微粒子２２ｃの量、すなわち微粒子層（煤層）の量を、例えば０．５ｇ／ｌ以下の小さな値に常時維持することが可能である。かかる構成によれば、副微粒子捕捉フィルタ２２Ａを使った微粒子センサの感度を向上させることができる。
【００７８】
図４の構成では、バルブ２３が前記副排気ライン２１Ａに設置されているが、前記副微粒子捕捉フィルタ２２Ａの再生を前記主微粒子捕捉フィルタ（ＤＰＦ）２２と独立に行っても、排ガスが主として前記副微粒子捕捉フィルタを流れてしまうような状況が生じることはなく、前記主微粒子捕捉フィルタ（ＤＰＦ）２２中の微粒子堆積量の見積もりに誤差が生じることはない。
【００７９】
その際、前記バルブ２３は、前記副排気ライン２１Ａ中のガス流量を厳密に一定に維持する必要はなく、前記副排気ライン２１Ａへの極端な排ガスの偏りを回避できれば十分である。
【００８０】
このように、本発明の第２の実施形態では、前記差圧ΔＰと前記排ガスの温度Ｔと前記排ガス流量Ｑとが測定され（ステップ１）、前記副微粒子捕捉フィルタにより捕捉された微粒子の質量が、前記測定結果から、前記式（１）および（２）を使って求められ（ステップ２）、前記主微粒子捕捉フィルタに捕捉された微粒子の量が、前記式（３）、（４）、および、さらに前記主微粒子捕捉フィルタの捕捉効率を使って求められる（ステップ１１）。
【００８１】
図８において、また以下に説明する図９においても、前記主微粒子捕捉フィルタ（ＤＰＦ）２２はＤＰＦとして表記され、一方前記副微粒子捕捉フィルタ２２Ａは副ＤＰＦとして表記されている。さらに、前記微粒子の堆積は、「ＤＰＭｄｅｏｐｏ」と表記されている。
【００８２】
一方、前記主微粒子捕捉フィルタ中に捕捉された微粒子を求めるプロセスは、図９に示すように変形することもできる。
【００８３】
すなわち、図１１において、前記主微粒子捕捉フィルタに捕捉された微粒子の量を求めるプロセス（ステップ１１）は、前記ステップ１で得られた測定結果を使って、前記副微粒子捕捉フィルタ中に捕捉された微粒子の量を求めるプロセス（ステップ２）と並行して行われる。
［第３の実施形態］
図１０は、本発明の第３の実施形態による、図４の微粒子検出センサを使った微粒子測定方法を示すフローチャートである。ただし図中、先に説明した部分に対応する部分には同一の参照符号を付し、説明を省略する。
【００８４】
図１０を参照するに、前記副排気ライン２１Ａ中の流量は、前記ステップ１に対応するステップ２１において、前記流量計２４を使うことにより、また場合によってはバルブ２３を使うことにより、５０〜６０００ｍｌ／分の範囲に設定され、前記副微粒子捕捉フィルタ２２Ａ前後の差圧ΔＰが、前記差圧測定部２２Ｂにより検出される。さらに、前記温度測定部Ｔ１を使って、前記排ガスの温度が測定される。
【００８５】
次にステップ前記ステップ２に対応するステップ２２において、前記副微粒子捕捉フィルタ２２Ａに捕捉された微粒子の層厚Ｗが、前記ステップ１で求められた差圧ΔＰから、前記式（１）に従って求められる。なお現在の例において、前記排ガスの温度Ｔは、本例のように前記副微粒子捕捉フィルタ２２Ａの温度測定部Ｔ１を使う代わりに、前記主微粒子捕捉フィルタ（ＤＰＦ）２２の温度測定部Ｔ２を使って求めてもよい。さらに、前記温度Ｔは、前記温度測定部Ｔ１，Ｔ２の温度から算出（例えば平均値、最大値、最小値など）することもできる。前記微粒子の量を正確に算出することが可能となるという観点からは、前記副微粒子フィルタ２２Ａの温度測定部Ｔ１を使うのが好ましい。前記温度測定部としては熱電対を使うことができるが、温度を測定できるものならどのようなものでも使うことができる。さらに排気管内の排ガス温度を測定するのが好ましいが、フィルタあるいはセルの内部または表面温度を測定してもよい。
【００８６】
さらにステップ２２では、セル２１ｂにより捕捉された微粒子の質量ｍsootが、ステップ１で検出された層厚Ｗから、前記式（２）により求められる。
【００８７】
さらに、図１０のプロセスでは、前記ステップ１１に対応するステップ３１において、前記ステップ２２で求められた前記セル２２ｂ中に捕捉された微粒子の質量ｍsootを使って、前記排ガス中に微粒子の濃度ＰＭが前記式（３）により求められ、前記主微粒子捕捉フィルタ２２に堆積した微粒子の量ＰＭenter  full  filterが、前記式（４）および前記主微粒子捕捉フィルタ（ＤＰＦ）２２の捕捉効率から、求められる。
【００８８】
このように、本発明の第３の実施形態では、前記差圧ΔＰと前記排ガスの温度Ｔと前記排ガス流量Ｑとが測定され（ステップ２１）、前記第２の微粒子捕捉フィルタにより捕捉された微粒子の質量が、前記測定結果から、前記式（1），（２）を使って求められ（ステップ２２）、さらに前記主微粒子捕捉フィルタに捕捉された微粒子の量が、前記副微粒子捕捉フィルタに捕捉された微粒子量から、前記式（３），（４）および前記主微粒子捕捉フィルタの捕捉効率を使って求められる（ステップ３１）。
【００８９】
図１０において、また以下に説明する図１３においても、前記主微粒子捕捉フィルタ（ＤＰＦ）２２はＤＰＦとして表記され、一方前記副微粒子捕捉フィルタ２２Ａは副ＤＰＦとして表記されている。さらに、前記微粒子の堆積は、「ＤＰＭｄｅｏｐｏ」と表記されている。
【００９０】
一方、前記主微粒子捕捉フィルタ中に捕捉された微粒子を求めるプロセスは、図１１に示すように変形することもできる。
【００９１】
すなわち、図１１において、前記主微粒子捕捉フィルタに捕捉された微粒子の量を求めるプロセス（ステップ３１）は、前記ステップ２１で得られた測定結果を使って、前記副微粒子捕捉フィルタ中に捕捉された微粒子の量を求めるプロセス（ステップ２２）と並行して行われる。
［第４の実施形態］
図１２は、本発明の第４の実施形態による微粒子検出センサの構成を示す。ただし図中、先に説明した部分に対応する部分には同一の参照符号を付し、説明を省略する。
【００９２】
図１２の実施形態では、微粒子検出センサのハウジング内部にサーミスタ２２Ｔｈが温度測定部として設けられ、前記サーミスタ２２Ｔｈの抵抗値が、信号線２２ｔｈを介して制御回路により読み取られる。
【００９３】
図１２の実施形態では、サーミスタ２２Ｔｈは微粒子検出センサのハウジング内に集積化されており、その結果、微粒子検出センサを小型化することができ、微粒子検出センサをディーゼルエンジンの排気ライン中の所望箇所に容易に設置することが可能となる。
［第５の実施形態］
図１３は、本発明の第５の実施形態による微粒子検出センサの構成を示す。ただし図中、先に説明した部分に対応する部分には同一の参照符号を付し、説明を省略する。
【００９４】
図１３を参照するに、微粒子検出センサのハウジング内部には、差圧式ベンチュリ管よりなる流量計２４Ａが流量計２４として設けられており、前記流量計２４Ａの出力は信号線２４ａを介して制御回路に供給される。
【００９５】
そこで、図１３の実施形態では、差圧式ベンチュリ管よりなる流量計２４Ａにより、セル２２ｂ中を流れる排ガスの流量を読み取ることが可能となる。流量計２４Ａが微粒子検出センサのハウジング内に集積化されているため、微粒子検出センサは小型化されており、微粒子検出センサをディーゼルエンジンの排気ライン中の所望の箇所に設置することが可能となる。
【００９６】
図１４は、図１３の微粒子検出センサの変形例を示す。
【００９７】
図１４を参照するに、本実施形態では図１３の差圧ベンチュリ管よりなる流量計２４Ａの代わりに、ホットワイヤ流量計２４Ｂが設けられており、セル２２ｂを流れる排ガスの流量が、信号線２４ｂを介して制御回路により読み取られる。
【００９８】
さらに、以上では、前記主微粒子フィルタ（ＤＰＦ）２２および副微粒子捕捉フィルタ２２Ａとして、ＳｉＣよりなるハニカム部材を使う場合について説明したが、本発明はかかる特定のフィルタ部材に限定されるものではなく、炭化珪素を６０％以上含む炭化珪素とシリコンなど金属との複合材（本発明はかかる複合材も炭化珪素に含めることにする）、窒化アルミニウムや窒化珪素、窒化硼素、窒化タングステンなどの窒化物、炭化ジルコニウム、炭化チタン、炭化タンタル、炭化タングステンなどの炭化物、アルミナ、酸化ジルコニウム、コージエライト、ムライト、シリカ、チタン酸アルミニウムなどの酸化物、あるいはステンレスなどの金属の多孔質体を使うことも可能である。また、ハニカム構造の他にも、コルゲートやエレメント板などの構造体を使うことも可能である。
【００９９】
本発明の実施形態の排ガス浄化装置は小型であり、トラックや産業機械などの大型車両のみならず、乗用車にも適用可能である。
【図面の簡単な説明】
【０１００】
【図１】従来の排ガス浄化装置を使ったエンジンの全体図である。
【図２Ａ】微粒子捕捉フィルタの概略的構成を示す図である。
【図２Ｂ】微粒子捕捉フィルタの構成要素を示す図である。
【図２Ｃ】微粒子捕捉フィルタの動作原理を示す図である。
【図２Ｄ】微粒子捕捉フィルタにより捕捉された微粒子の状態を示す図である。
【図３】従来技術の問題点を説明する図である。
【図４】本発明の第１の実施形態による排ガス浄化装置の構成を示す図である。
【図５Ａ】図４で使われる副微粒子捕捉フィルタの構成を示す図である。
【図５Ｂ】図５Ａの副微粒子捕捉フィルタの原理を説明する図である。
【図６】図４の副微粒子捕捉フィルタを使った微粒子（ＰＭ）検出センサの構成を示す図である。
【図７】本発明の効果を説明する図である。
【図８】本発明の第２の実施形態による排ガス浄化装置における微粒子捕捉フィルタの再生動作を説明するフローチャートである。
【図９】本発明の第２の実施形態による排ガス浄化装置における微粒子捕捉フィルタの他の再生動作を説明するフローチャートである。
【図１０】本発明の第３の実施形態による微粒子検出方法を示すフローチャートである。
【図１１】図１０の微粒子測定方法の一変形例を示すフローチャートである。
【図１２】本発明の第３の実施形態による微粒子検出センサの構成を示す図である。
【図１３】本発明の第４の実施形態による微粒子検出センサの構成を示す図である。
【図１４】図１３の微粒子検出センサの変形例の構成を示す図である。
【符号の説明】
【０１０１】
１１      ディーゼルエンジン
１２      排気ライン
１２Ａ    フィルタユニット
１２B    微粒子捕捉フィルタ（ＤＰＦ）
１２ａ    ガス通路
１２ｂ    多孔質部材
１２ｃ    微粒子
２０      排ガス浄化装置
２１      主排気ライン
２１Ａ    副排気ライン
２２      主微粒子捕捉フィルタ（ＤＰＦ）
２２Ａ    副微粒子捕捉フィルタ
２２ａ    排ガス通路
２２ｂ    セル
２２ｂ１  駆動ライン
２２ｃ    微粒子層
２２ｄ    熱電対
２２ｅ    ホルダ（容器）
２２ｈ    ヒータ
２２ｉ    絶縁物（インシュレータ）
２２ｐ    信号ライン
２３      制御バルブ
２４      流量計
【図１】
2008101606.tif 000005
【図２Ａ】
2008101606.tif 000006
【図２Ｂ】
2008101606.tif 000007
【図２Ｃ】
2008101606.tif 000008
【図３】
2008101606.tif 000009
【図４】
2008101606.tif 000010
【図５Ａ】
2008101606.tif 000011
【図５Ｂ】
2008101606.tif 000012
【図６】
2008101606.tif 000013
【図７】
2008101606.tif 000014
【図８】
2008101606.tif 000015
【図９】
2008101606.tif 000016
【図１０】
2008101606.tif 000017
【図１１】
2008101606.tif 000018
【図１２】
2008101606.tif 000019
【図１３】
2008101606.tif 000020
【図１４】
2008101606.tif 000021
【図２Ｄ】
2008101606.tif 000022